(57)【要約】【課題】筐体の姿勢を変えても、発熱体から発せられる熱を筐体の外部に良好に放熱することができる電子機器を提供する。【解決手段】筐体１０は、第１の通気部２１が設けられた上壁１１ｂと、第２の通気部２２が設けられた右側壁１１ｃとを有している。筐体１０は、上壁１１ｂを上方に向ける横置き姿勢と、右側壁１１ｃを上方に向ける縦置き姿勢との両方の姿勢で設置可能である。ファン４２は、上記第１の姿勢時に第２の通気部２２側から第１の通気部２１側に向けて送風させる第１の送風方向と、上記第２の姿勢時に第１の通気部２１側から第２の通気部２２側に向けて送風させる第２の送風方向との両方向に送風可能である。【選択図】      図１
2005190316.tif 000002
【特許請求の範囲】
【請求項１】
第１の通気部が設けられた第１の壁、及び、第２の通気部が設けられ、上記第１の壁と交差する方向に延びる第２の壁を有し、上記第１の壁を上方に向ける第１の姿勢と上記第２の壁を上方に向ける第２の姿勢との両方の姿勢で設置可能な筐体と、
上記第１の姿勢時に上記第２の通気部側から上記第１の通気部側に向けて送風させる第１の送風方向と、上記第２の姿勢時に上記第１の通気部側から上記第２の通気部側に向けて送風させる第２の送風方向との両方向に送風可能な送風部とを備えていることを特徴とする電子機器。
【請求項２】
前記第１及び第２の通気部はそれぞれ通気孔を有することを特徴とする請求項１記載の電子機器。
【請求項３】
上記機器本体は、上記筐体内に、上記第１の通気部と上記第２の通気部とを繋ぐダクトと、このダクト内に設けられた発熱体とを備えていることを特徴とする請求項１に記載の電子機器。
【請求項４】
上記送風部は、ファンを有していることを特徴とする請求項１乃至３のいずれか１項に記載の電子機器。
【請求項５】
上記ファンは、上記第１の送風方向に送風する第１の回転方向と、上記第２の送風方向に送風する第２の回転方向との両方の回転方向に回転駆動自在であることを特徴とする請求項４に記載の電子機器。
【請求項６】
上記機器本体は、上記ファンの回転方向を制御する制御部を備えており、上記ファンは、上記制御部により、上記筐体が上記第１の姿勢の時に上記第１の回転方向に回転駆動するように制御されるとともに、上記筐体が上記第２の姿勢の時に上記第２の回転方向に回転駆動するように制御されることを特徴とする請求項５に記載の電子機器。
【請求項７】
上記機器本体は、上記第１の姿勢と上記第２の姿勢とを判別する角度センサを備えており、上記制御部は、上記角度センサで感知された情報に基づいて、上記ファンの回転方向を制御することを特徴とする請求項６に記載の電子機器。
【請求項８】
上記機器本体は、上記ファンの回転方向を変化させる信号を手動で入力する操作部を有していることを特徴とする請求項５に記載の電子機器。
【請求項９】
上記操作部は、上記筐体を介して外方に露出するように、上記筐体内に設けられていることを特徴とする請求項８に記載の電子機器。
【請求項１０】
上記ファンは、一方向に回転駆動自在であるとともに、上記第１の送風方向に送風する第１の取付け向きと、上記第２の送風方向に送風する第２の取付け向きとの両方の取付け向きに取付け可能であることを特徴とする請求項４に記載の電子機器。
【発明の詳細な説明】
【技術分野】
【０００１】
本発明は、パーソナルコンピュータなどの電子機器に関する。
【背景技術】
【０００２】
情報処理装置としては、横置き配置と縦置き配置とが共に可能な筐体と、筐体内に設けられた発熱部と、強制空冷用のファンと、情報処理装置を縦置きに置いたときにこれを感知するセンサと、このセンサの感知によりファンを止める制御回路とを備えたものが知られている。
【０００３】
筐体は、吸気通風孔と、排気通風孔と、強制空冷時の空気取り入れ口とを有している。吸気通風孔は、縦置き時に筐体の側面下部となる位置に設けられている。排気通風孔は、縦置き時に筐体の上面となる位置に設けられている。空気取り入れ口は、筐体のファンに臨む部分に設けられている。
【０００４】
この情報処理装置では、横置きした場合にファンが作動し、強制空冷を行う。このとき、吸気通風孔は排気通風孔として機能する。すなわち、ファンの吸い込み力により空気が空気取り入れ口から入り、筐体内の発熱部を空冷して、排気通風孔及び吸気通風孔から流出する。
【０００５】
また、情報処理装置を縦置きすると、制御回路は、センサからの信号により縦置きであることを感知し、ファンを停止させる。この場合、発熱部により熱せられた空気は上昇するので、下部に位置する吸気通風孔や、空気取り入れ口から入った空気が上昇し、上部に位置する排気通風孔から出る自然対流が発生する。この自然対流により、筐体内の発熱部が空冷される（例えば、特許文献１参照。）。
【特許文献１】特開平１０−２６１８８４号公報（段落０００８〜段落００１０、図１及び図２）
【発明の開示】
【発明が解決しようとする課題】
【０００６】
ところで、情報処理装置のような電子機器の分野においては、文字、音声、画像等の多用な情報を処理する電子部品、例えばＣＰＵ（Central Processing Unit）の処理速度の高速化や、多機能化が推進されている。このような電子機器に用いられるＣＰＵは、高集積化や高性能化に伴って動作中の発熱量が増加する傾向にある。そのため、発熱量の大きいＣＰＵ等の発熱体を筐体内に収容するに当たっては、筐体内での発熱体の放熱性をさらに高めることが望まれる。
【０００７】
しかしながら、特許文献１に記載の技術では、情報処理装置を縦置きした場合に、発熱部（発熱体）の放熱を自然対流により行うため、ファンを用いる強制空冷と比べて放熱効果が小さくなり易い。
【０００８】
本発明は、このような事情にもとづいてなされたもので、筐体の姿勢を変えても、発熱体から発せられる熱を筐体の外方に良好に放熱することができる電子機器の提供を目的とする。
【課題を解決するための手段】
【０００９】
本発明の１つの形態に係る電子機器は、第１の通気部が設けられた第１の壁、及び、第２の通気部が設けられ、上記第１の壁と交差する方向に延びる第２の壁を有し、上記第１の壁を上方に向ける第１の姿勢と上記第２の壁を上方に向ける第２の姿勢との両方の姿勢で設置可能な筐体と、上記第１の姿勢時に上記第２の通気部側から上記第１の通気部側に向けて送風させる第１の送風方向と、上記第２の姿勢時に上記第１の通気部側から上記第２の通気部側に向けて送風させる第２の送風方向との両方向に送風可能な送風部とを備えている。
【発明の効果】
【００１０】
本発明によれば、筐体の姿勢を変えても、発熱体から発せられる熱を筐体の外方に良好に放熱することができる電子機器が得られる。
【発明を実施するための最良の形態】
【００１１】
以下、本発明の第１の実施形態を、電子機器としてのデスクトップ形のパーソナルコンピュータに適用した図１乃至図９に基づいて説明する。
【００１２】
デスクトップ形のパーソナルコンピュータ１は、機器本体としてのコンピュータ本体２、ディスプレイ装置としての液晶ディスプレイ装置３、及びキーボード４等を備えている。液晶ディスプレイ装置３及びキーボード４は、コンピュータ本体２と各々電気的に接続されている。コンピュータ本体２は、偏平な箱形（偏平な直方体状）の筐体１０を備えている。図１及び図２は、パーソナルコンピュータ１を、筐体１０を横置き姿勢（後述する第１の姿勢）で設置した一例で示している。また、図８は、パーソナルコンピュータ１を、筐体１０を縦置き姿勢（後述する第２の姿勢）で設置した一例で示している。
【００１３】
詳しくは、筐体１０は、横置き姿勢において下側となる底壁１１ａと、横置き姿勢において上側となる第１の壁としての上壁１１ｂと、上壁１１ｂの一側縁からこの上壁１１ｂと交差する方向、例えば直交下向きに延びる第２の壁としての側壁１１ｃと、上壁１１ｂの他側縁からこの上壁１１ｂと交差する方向、例えば直交下向きに延びる側壁１１ｄと、上壁１１ｂの前縁からこの上壁１１ｂと交差する方向、例えば直交下向きに延びる前壁１１ｅと、上壁１１ｂの後縁からこの上壁１１ｂと交差する方向、例えば直交下向きに延びる後壁１１ｆとを有している。第２の壁としての側壁１１ｃは、例えば、横置き状態において向かって右側に位置している。以下、側壁１１ｃを右側壁と言い、この右側壁１１ｃと対向する側壁１１ｄを左側壁と言う。
【００１４】
底壁１１ａの外面は、平坦な搭載面となっている。したがって、筐体１０は、上壁１１ｂを上方に向ける第１の姿勢としての横置き姿勢にて、例えば机の天板のような設置面Ｓに設置可能である。上壁１１ｂの外面は、水平な支持面となっており、この支持面に、例えば液晶ディスプレイ装置３のようなものを置けるようになっている（図１参照）。
【００１５】
左側壁１１ｄの外面もまた、平坦な搭載面となっている。したがって、右側壁１１ｃを上方に向ける第２の姿勢としての縦置き姿勢にて、例えば机の天板のような設置面Ｓに設置可能である（図８参照）。
【００１６】
筐体１０は、その内部に実装領域を有している。筐体１０内には、図２及び図３に示すように、制御部としての制御回路１２が収容されている。また、筐体１０内には、図示しないが、機能部品としての電源ユニット、フロッピー（登録商標）ディスク駆動装置、ハードディスク駆動装置、ＣＤ−ＲＯＭ駆動装置、及びコネクタ等が収容されている。
【００１７】
図２及び図３に示すように、制御回路１２は、回路基板１３と、この回路基板１３に実装された多数の回路部品とを備えている。回路部品には、発熱体としてのＣＰＵ１４が含まれている。回路基板１３は、底壁１１ａに沿って水平に配置され、筐体１０にねじ止めされている。
【００１８】
電源ユニット、フロッピーディスク駆動装置、ハードディスク駆動装置、ＣＤ−ＲＯＭ駆動装置、及びコネクタは、筐体１０に支持されているとともに、各々ケーブルを介して制御回路１２と電気的に接続されている。
【００１９】
図１及び図８に示すように、電源ユニットのＯＮ・ＯＦＦを行う電源スイッチ１５は、前壁１１ｅを介して外方に露出している。そのため、電源スイッチ１５を操作することにより、電源ユニットのＯＮ・ＯＦＦを筐体１０の外方から行うことができる。フロッピーディスク駆動装置及びＣＤ−ＲＯＭ駆動装置は、前壁１１ｅ側に寄せて配置されている。前壁１１ｅには、フロッピーディスク駆動装置に連なる第１のディスク挿入部１６、及び、ＣＤ−ＲＯＭ駆動装置に連なる第２のディスク挿入部１７が設けられている。また、電源コネクタを始めとして、プリンタのような各種の周辺機器を接続するための複数のコネクタは、後壁１１ｆに沿って配置されている。これらコネクタは、後壁１１ｆを介して外方に露出している。そのため、これらコネクタに電源ケーブルや周辺機器に連なるケーブルを接続することができる。
【００２０】
なお、筐体１０は、底壁１１ａを有する基部と、上壁１１ｂ、右側壁１１ｃ、左側壁１１ｄ、前壁１１ｅ、及び後壁１１ｆとを有するカバーとにより構成する等し、必要に応じて、実装領域を開放できるように構成することも可能である。
【００２１】
上壁１１ｂには、図１乃至図３や、図７乃至図９に示すように、右壁側に寄せて、第１の通気部２１が設けられている。第１の通気部２１は、通気孔としての複数の小孔２１ａを有している。ところで、上述のように、上壁１１ｂの上面は、液晶ディスプレイ装置３等を支持する支持面となる。したがって、第１の通気部２１は、液晶ディスプレイ装置３を上壁１１ｂの上面に設置した際に、この液晶ディスプレイ装置３により小孔２１ａが閉塞され難いように、前後方向中央よりも後壁１１ｆ側に寄せて設けるのが好ましい。
【００２２】
一方、右側壁１１ｃには、図１や図７乃至図９に示すように、第２の通気部２２が設けられている。第２の通気部２２は、通気孔としての複数の小孔２２ａを有している。第２の通気部２２は、第１の通気部２１に対応するように、前後方向中央よりも後壁１１ｆ側に寄せて設けられている。
【００２３】
また、図２、図４、及び図５に示すように、コンピュータ本体２は、横置き姿勢と縦置き姿勢とを判別する角度センサ３０を備えている。角度センサ３０は、筐体１０に固定され、制御回路１２と電気的に接続されている。角度センサ３０としては、例えば、遮蔽部３１、発光部３２、及び受光部３３を備えるフォトインタラプタを用いることができる（図４及び図５参照）。なお、図４及び図５は、角度センサ３０を、筐体１０を横置き姿勢とした状態で示している。
【００２４】
遮蔽部３１は、略楕円板状の遮蔽板３１ａと回転軸３１ｂとを有している。回転軸３１ｂは、前壁１１ｅと略平行に配置されている。回転軸３１ｂは、遮蔽板３１ａの長軸方向の一端部を貫通している。これにより、遮蔽板３１ａは、図５に矢印Ｒで示すように、筐体１０が横置き姿勢の時と縦置き姿勢の時とで自重により９０°回転する。つまり、遮蔽板３１ａは、筐体１０が横置き姿勢の時には、図５に実線で示す位置となり、筐体１０が縦置き姿勢の時には、自重により９０°回転して、図５に二点鎖線で示す位置となる。
【００２５】
発光部３２は、例えば、ＬＥＤ等の光源部３２ａを有している。発光部３２は、筐体１０を横置き姿勢とした状態において遮蔽板３１ａの一方の面と対向するように配置されている。受光部３３は、光源部３２ａから発せられた光を感知する感知部３３ａ、例えば、フォトトランジスタを有している。受光部３３は、感知部３３ａを光源部３２ａと対向させ、且つ、筐体１０を横置き姿勢とした状態において遮蔽板３１ａの他方の面と対向するように配置されている。すなわち、筐体１０を横置き姿勢とした状態において、受光部３３は、遮蔽板３１ａを介して、発光部３２と対向している。
【００２６】
この角度センサ３０は、以下のように作用する。筐体１０を横置き姿勢とした場合には、遮蔽板３１ａは、図５において実線で示す位置に配置される。したがって、光源部３２ａから発せられた光は遮蔽板３１ａに遮られ、感知部３３ａには届かない。一方、筐体１０を縦置き姿勢とした場合には、遮蔽板３１ａは、自重により、図５において二点鎖線で示す位置に移動する。したがって、光源部３２ａから発せられた光は、遮蔽板３１ａに遮られることなく、感知部３３ａに届く。
【００２７】
つまり、この角度センサ３０では、発光部３２の光源部３２ａから発せられた光が受光部３３の感知部３３ａに感知されるか否かにより、筐体１０の姿勢を感知している。なお、角度センサ３０は、これに限定されるものではない。
【００２８】
図２及び図３に示すように、筐体１０内には、ＣＰＵ１４に熱的に接続されたヒートシンク４０と、このヒートシンク４０を強制的に冷却するクーリングユニット４１とが配置されている。ヒートシンク４０は、熱導電率の高い金属で形成されている。ヒートシンク４０は、表面積が大きくなるように、複数の放熱フィン（図示せず）を有している。
【００２９】
クーリングユニット４１は、送風部としてのファン４２と、ダクト４３とを有している。なお、図中符号４４は、ファン４２に電力を供給するための電源供給用のコネクタを示している。コネクタ４４は、制御回路１２と電気的に接続されている。また、図中符号４５は、ファン４２が備えるケーブルを示している。ファン４２が備えるケーブル４５の先端部には、電源供給用のコネクタ４４に接続されるプラグ（図示せず）が設けられている。
【００３０】
ファン４２は、筐体１０内に、右側壁１１ｃに設けられた第２の通気部２２に臨んで配置されている。このファン４２は、例えば、右側壁１１ｃの内面に設けられた支持部１８にて支持されている。また、このファン４２は、制御回路１２と電気的に接続されている。なお、ファン４２は、上壁１１ｂに設けられた第１の通気部２１に臨ませて配置する等してもよい。
【００３１】
ダクト４３は、図１や図７乃至図９等に最もよく示すように、第１の通気部２１と第２の通気部２２とを繋ぐように設けられている。また、ダクト４３は、図３に示すように、ＣＰＵ１４とヒートシンク４０とファン４２とを内包している。
【００３２】
したがって、ＣＰＵ１４で発せられた熱は、ヒートシンク４０に伝わり、空気中に放熱される。温められた空気は、ダクト４３中を流通し、第１又は第２の通気部２１，２２を介して、筐体１０の外方に放熱される。
【００３３】
ところで、ＣＰＵ１４で発せられる熱によって温められた空気を迅速に筐体１０の外方に放出させるためには、ファン４２を動作させ、ダクト４３内の空気を下側から上側に向けて流通させるのが好ましい。
【００３４】
つまり、上壁１１ｂを上方に向ける横置き姿勢の時には、図７に矢印Ｘで示す方向、すなわち、第２の通気部２２側から第１の通気部２１側に向けて送風させる第１の送風方向となるように、ダクト４３内の空気を強制的に流通させるのが好ましい。一方、右側壁１１ｃを上方に向ける縦置き姿勢の時には、図９に矢印Ｙで示す方向、すなわち、第１の通気部２１側から第２の通気部２２側に向けて送風させる第２の送風方向となるように、ダクト４３内の空気を強制的に流通させるのが好ましい。
【００３５】
そのため、ファン４２としては、第２の通気部２２側から第１の通気部２１側に向けて送風させる第１の送風方向と、第１の通気部２１側から第２の通気部２２側に向けて送風させる第２の送風方向との両方向に送風可能なファン４２を採用している。このようなファン４２としては、上記第１の送風方向に送風する第１の回転方向と、上記第２の送風方向に送風する第２の回転方向との両方向に正逆回転駆動自在なファンが挙げられる。
【００３６】
また、このコンピュータ本体２では、制御回路１２は、ファン４２の回転方向を変化させる制御部を兼ねている。すなわち、ファン４２は、角度センサ３０で感知された筐体１０の姿勢に関する情報に基づいて、制御回路１２によりその回転方向が制御される。
【００３７】
このコンピュータ本体２では、以下のようにして、ＣＰＵ１４が冷却される（図６参照）。  
ＣＰＵ１４で発せられた熱は、ヒートシンク４０に伝わり、空気中に放熱される。ＣＰＵ１４近傍の温度が所定の温度以上となると、角度センサ３０により、筐体１０の姿勢が感知される。
【００３８】
筐体１０が横置き姿勢である場合、角度センサ３０が、筐体１０が横置き姿勢であることを感知して、この情報を制御回路１２に伝える。制御回路１２は、ダクト４３内の空気が上記第１の送風方向（図７に矢印Ｘで示す方向）に流通するように、ファン４２を上記第１の回転方向に回転駆動させる。この場合、第２の通気部２２が吸気部となり、第１の通気部２１が排気部となる。
【００３９】
つまり、ファン４２が上記第１の回転方向に回転駆動すると、第２の通気部２２から筐体１０外の空気が取り入れられる。ヒートシンク４０は、第２の通気部２２から取り入れられた外部の空気により冷やされる。ヒートシンク４０から空気中に放熱された熱は、自然対流とファン４２とにより発せられる風に乗じ、第１の通気部２１を介して、筐体１０の外部に上方に向けて放出される。
【００４０】
一方、筐体１０が縦置き姿勢である場合、角度センサ３０が、筐体１０が縦置き姿勢であることが感知して、この情報を制御回路１２に伝える。制御回路１２は、ダクト４３内の空気が上記第２の送風方向（図９に矢印Ｙで示す方向）に流通するように、ファン４２を上記第２の回転方向に回転駆動させる。この場合、第１の通気部２１が吸気部となり、第２の通気部２２が排気部となる。
【００４１】
つまり、ファン４２が上記第２の回転方向に回転駆動すると、第１の通気部２１から筐体１０外の空気が取り入れられる。ヒートシンク４０は、第１の通気部２１から取り入れられた外部の空気により冷やされる。ヒートシンク４０から空気中に放熱された熱は、自然対流とファン４２により発せられる風に乗じ、第２の通気部２２を介して、筐体１０の外部に上方に向けて放出される。
【００４２】
また、このコンピュータ本体２では、ＣＰＵ１４がダクト４３内に設けられているため、ＣＰＵ１４で発せられた熱により温められた空気は、ダクト４３を流通して筐体１０の外方に放熱される。したがって、回路基板１３に実装された多数の回路部品や筐体１０内に収容された機能部品等は、ＣＰＵ１４で発せられた熱の影響を受け難い。
【００４３】
なお、ＣＰＵ１４近傍の温度が所定の温度未満の場合には、ファン４２を停止してもよい。ＣＰＵ１４で発せられた熱は、ヒートシンク４０に伝わり、空気中に放熱される。このようにして温められた空気は、自然対流にてダクト４３中を流通し、第１又は第２の通気部２１，２２を介して、筐体１０の外方に放熱される。
【００４４】
以上のように、このパーソナルコンピュータ１によれば、コンピュータ本体２の筐体１０が横置き姿勢の場合には、送風部としてのファン４２によって強制的に、右側壁１１ｃに設けられた第２の通気部２２から上壁１１ｂに設けられた第１の通気部２１側に向けて空気を流通させる第１の送風方向に空気の流れを生じさせる。一方、筐体１０が縦置き姿勢の場合には、送風部としてのファン４２によって強制的に、上壁１１ｂに設けられた第１の通気部２１から右側壁１１ｃに設けられた第２の通気部２２側に向けて空気を流通させる第２の送風方向に空気の流れを生じさせるようにしている。したがって、筐体１０を横置き姿勢としても縦置き姿勢としても、筐体１０内の空気を下側から上側に向かって強制的に流通させることができる。したがって、筐体１０の姿勢を変えても、ＣＰＵ１４から発せられる熱を筐体１０の外方に良好に放熱することができる。
【００４５】
また、コンピュータ本体２は、筐体１０内に、第１の通気部２１と第２の通気部２２とを繋ぐダクト４３を備えており、ＣＰＵ１４は、ダクト４３内に設けられている。そのため、ＣＰＵ１４から空気中に放熱された熱は、ダクト４３内において流通する。したがって、回路基板１３に実装された多数の回路部品や筐体１０内に収容された機能部品等には、ＣＰＵ１４で発せられた熱による影響が与えられ難い。
【００４６】
さらに、送風部はファン４２を有しており、このファン４２が上記第１の送風方向に送風する第１の回転方向と、上記第２の送風方向に送風する第２の回転方向との両方向に回転駆動自在とされている。そのため、簡単な構成で、筐体１０内（このパーソナルコンピュータ１ではダクト４３内）の空気を上記第１及び第２の送風方向の双方向に送風させることができる。
【００４７】
しかも、ファン４２は、制御回路１２により、筐体１０が横置き姿勢の時に上記第１の回転方向に回転駆動するように制御されるとともに、筐体１０が縦置き姿勢の時に上記第２の回転方向に回転駆動するように制御される。また、コンピュータ本体２は、筐体１０の姿勢を判別する角度センサ３０、すなわち、横置き姿勢と縦置き姿勢とを判別する角度センサ３０を備えており、制御回路１２は、この角度センサ３０で感知された情報に基づいて、ファン４２の回転方向を制御する。したがって、筐体１０が横置きであっても縦置きであっても、パーソナルコンピュータ１を使用するユーザーに何ら手間をかけさせることなく、ＣＰＵ１４より温められた空気を上方に向けて筐体１０の外方に排気することができる。
【００４８】
以下、本発明の第２の実施形態を、図１０に基づいて説明する。  
デスクトップ形のパーソナルコンピュータ１では、一旦、コンピュータ本体２及び液晶ディスプレイ装置３を配置してしまうと、これらの位置をあまり頻繁に変化させないことが多い。そのため、本実施形態のパーソナルコンピュータ１が備えるコンピュータ本体２では、角度センサ３０を省略し、ファン４２の回転方向を変化させる信号を手動で入力する操作部５０を設けている。操作部５０としては、ボタン５０ａを押すことで、ファン４２の回転方向を変化させる信号を発するものを用いることができる。
【００４９】
この操作部５０は、筐体１０を介して外方に露出するように、筐体１０内に設けられている。詳しくは、筐体１０の右側壁１１ｃには、第１の通気部２１と隣接するように、開口部５１が設けられている。この開口部５１は、パーソナルコンピュータ１を使用するユーザーの指先が不用意に入り込まない程度の大きさとしている。操作部５０は、この開口部５１と対向するように、筐体１０内に収容されている。つまり、操作部５０は、ファン４２と隣接して配置されることとなる。操作部５０は、制御回路１２と電気的に接続されている。なお、他の構成は、図示しない部分を含めて上述した第１の実施形態と同じであるから、重複する説明は図に同符号を付して省略する。
【００５０】
このパーソナルコンピュータ１では、コンピュータ本体２及び液晶ディスプレイ装置３を配置する際に、その配置に適したファン４２の回転方向となるように操作部５０を操作すればよい。すなわち、初期状態において、ファン４２が、ダクト４３内の空気を上記第１の送風方向に送風する上記第１の回転方向に回転駆動する設定であるとする。コンピュータ本体２を横置き姿勢とする場合には、そのまま使用すればよく、ＣＰＵ１４近傍の温度が所定の温度以上となると、ファン４２が上記第１の回転方向に回転する。
【００５１】
コンピュータ本体２を縦置き姿勢とする場合には、ペン先のような細長な棒５２等を、開口部５１を介して筐体１０内に差し込むことにより、操作部５０のボタン５０ａを押す（操作する）。操作部５０を操作すると、その信号が制御回路１２に伝えられ、制御回路１２がファン４２の回転方向を変化させる制御を行う。これにより、ファン４２は、ダクト４３内の空気を上記第２の送風方向に送風する上記第２の回転方向に回転駆動されるようになる。以降は、ＣＰＵ１４近傍の温度が所定の温度以上となると、ファン４２が上記第２の回転方向に回転する。
【００５２】
再度、コンピュータ本体２を縦置き姿勢から横置き姿勢に変化させる場合にも、操作部５０を操作する。操作部５０を操作すると、その信号が制御回路１２に伝えられ、制御回路１２がファン４２の回転方向を変化させる制御を行う。これにより、ファン４２は、ダクト４３内の空気を上記第１の送風方向に送風する上記第１の回転方向に回転駆動されるようになる。以降は、ＣＰＵ１４近傍の温度が所定の温度以上となると、ファン４２が上記第１の回転方向に回転する。再々度、コンピュータ本体２を横置き姿勢から縦置き姿勢に変化させる場合にも同様である。
【００５３】
一般に、角度センサ３０は高価であることが多いため、筐体１０の姿勢を判別する手段として角度センサ３０を採用すると、パーソナルコンピュータ１が高価となり易い。そのため、角度センサ３０を省略することで、コンピュータ本体２を安価に製造できる。
【００５４】
また、一般に、コンピュータ本体２及び液晶ディスプレイ装置３を一旦配置すると、これらの位置をあまり頻繁に変化させないことが多い。そのため、ファン４２の回転方向を変化させる信号を手動入力としても、ユーザーにさほどの手間を掛けさせない。
【００５５】
以上のように、本実施形態のパーソナルコンピュータ１によれば、ファン４２の回転方向を変化させる信号を手動で入力する操作部５０を設けているため、角度センサ３０を省略することができる。したがって、パーソナルコンピュータ１を安価に製造することができる。しかも、ファン４２の回転方向を変化させる場合には、操作部５０を操作するだけでよい。したがって、ファン４２の回転方向を変化させるためにユーザーの手をさほど煩わせることが無い。
【００５６】
また、このパーソナルコンピュータ１では、操作部５０は、筐体１０内に設けられている。そのため、パーソナルコンピュータ１のユーザー等が、操作部５０に誤って触れてしまうといったことが生じ難い。つまり、このパーソナルコンピュータ１では、操作部５０の誤操作を抑制できる。
【００５７】
しかも、操作部５０は、筐体１０を介して外方に露出している。そのため、操作部５０が筐体１０内に設けられているにもかかわらず、この操作部５０を筐体１０の外方から操作することが可能である。したがって、このパーソナルコンピュータ１では、操作部５０の操作を容易に行うことができる。
【００５８】
以下、本発明の第３の実施形態を、図１１に基づいて説明する。  
本実施形態のパーソナルコンピュータ１が備えるコンピュータ本体２では、角度センサ３０や操作部５０を省略し、且つ、一方向に回転駆動自在なファン４２を筐体１０に着脱自在に設けている。
【００５９】
詳しくは、ファン４２は、上記第１の送風方向（第２の通気部２２側から上記第１の通気部２１側に向けて空気を流通させる方向）に送風する第１の取付け向きと、上記第２の送風方向（第１の通気部２１側から上記第２の通気部２２側に向けて空気を流通させる方向）に送風する第２の取付け向きとの両方の取付け向きに取付け可能となるように、右側壁１１ｃの内面に設けられた支持部１８に支持されている。つまり、ファン４２は、これをひっくり返し、ファン４２の羽根の向きを変化させることができるようになっている。
【００６０】
ところで、ファン４２をひっくり返して取付けると、ファン４２に設けられたケーブル４５の延出方向が変化してしまう。そのため、このコンピュータ本体２は、ファン４２の前側と後側とに、ファン４２に電力を供給するための２つの電源供給用のコネクタ４４ａ，４４ｂを備えている。このようにすることにより、ケーブル４５の長さを変化させることなく、コネクタ４４ａ又はコネクタ４４ｂにケーブル５５が備えるプラグを差し込むことができる。
【００６１】
また、筐体１０は、底壁１１ａを有する基部と、上壁１１ｂ、右側壁１１ｃ、左側壁１１ｄ、前壁１１ｅ、及び後壁１１ｆとを有するカバーとにより構成する等している。このようにすることにより、ファン４２の向きを変える場合には、実装領域を開放させることができる。なお、他の構成は、図示しない部分を含めて上述した第１の実施形態と同じであるから、重複する説明は図に同符号を付して省略する。
【００６２】
このパーソナルコンピュータ１では、コンピュータ本体２及び液晶ディスプレイ装置３を配置する際に、ファン４２の回転方向がその配置に適した回転方向となるように、このファン４２を取付ければよい。すなわち、初期状態において、ファン４２が、ダクト４３内の空気を上記第１の送風方向に送風するように取付けられていた場合、コンピュータ本体２を横置き姿勢で使用する際には、そのままでよい。
【００６３】
コンピュータ本体２を縦置き姿勢とする場合には、筐体１０の実装領域を開放させ、プラグをコネクタ４４ａから外す。そして、ファン４２を筐体１０から取り外し、裏返してファン４２を筐体１０に取付ける。そして、プラグをコネクタ４５ｂに差し込み、筐体１０を元に戻す。これにより、ファン４２は、ダクト４３内の空気を上記第２の送風方向に送風するようになる。
【００６４】
再度、コンピュータ本体２を縦置き姿勢から横置き姿勢に変化させる場合には、筐体１０の実装領域を開放させ、プラグをコネクタ４４ｂから外す。そして、ファン４２を筐体１０から取り外し、裏返してファン４２を筐体１０に取付ける。そして、プラグをコネクタ４４ａに差し込み、筐体１０を元に戻す。これにより、ファン４２は、ダクト４３内の空気を上記第１の送風方向に送風するようになる。再々度、コンピュータ本体２を横置き姿勢から縦置き姿勢に変化させる場合にも同様である。
【００６５】
以上のように、このパーソナルコンピュータ１によれば、一方向に回転駆動するファン４２を筐体１０にひっくり返して取付けることができるようになっている。このようにすることにより、角度センサ３０や操作部５０を省略できる。したがって、本実施形態のパーソナルコンピュータ１は、角度センサ３０及び正逆両回転駆動するファン４２を備える第１の実施形態のパーソナルコンピュータ１や、操作部５０及び正逆両回転駆動するファン４２を備える第２の実施形態のパーソナルコンピュータよりも安価に製造できる。
【００６６】
なお、上記第１乃至第３の実施形態では、第２の通気部２２を設ける第２の壁を、横置き状態において向かって右側壁１１ｃとしているが、第２の壁は、横置き状態において向かって左側壁１１ｄや後壁１１ｆとしても、同様の効果が得られる。
【００６７】
また、本発明は、上述した実施形態に限定されるものではなく、本発明の要旨を逸脱しない範囲においては種々の態様で実施し得ることは言うまでも無い。
【図面の簡単な説明】
【００６８】
【図１】本発明の第１の実施形態に係るパーソナルコンピュータを、コンピュータ本体を第１の姿勢で載置した例で示す正面図。
【図２】図１のパーソナルコンピュータを、コンピュータ本体を第１の姿勢で載置した例で示す上面図。
【図３】図１のパーソナルコンピュータが備えるコンピュータ本体の一部分を示す断面図。
【図４】図１のパーソナルコンピュータが備える角度センサを示す側面図。
【図５】図１のパーソナルコンピュータが備える角度センサを示す正面図。
【図６】図１のパーソナルコンピュータが備える電動ファンの制御系統を示すブロック図。
【図７】図１のパーソナルコンピュータが備えるコンピュータ本体を第１の姿勢で載置した状態で示す斜視図。
【図８】図１のパーソナルコンピュータを、コンピュータ本体を第２の姿勢で載置した例で示す正面図。
【図９】図１のパーソナルコンピュータが備えるコンピュータ本体を第２の姿勢で載置した状態で示す斜視図。
【図１０】本発明の第２の実施形態に係るパーソナルコンピュータが備えるコンピュータ本体の一部を示す断面図。
【図１１】本発明の第３の実施形態に係るパーソナルコンピュータが備えるコンピュータ本体の一部を、ファンを第１の向きで取付けた状態で示す断面図。
【図１２】図１１のパーソナルコンピュータが備えるコンピュータ本体の一部を、ファンを第２の向きで取付けた状態で示す断面図。
【符号の説明】
【００６９】
１…パーソナルコンピュータ（電子機器）、  ２…コンピュータ本体（機器本体）、  １０…筐体、  １１ｂ…上壁（第１の壁）、  １１ｃ…右側壁（第２の壁）、  １２…制御回路（制御部）、  １４…ＣＰＵ（発熱体）、  ２１…第１の通気部、  ２１ａ…小孔（通気孔）、  ２２…第２の通気部、  ２２ａ…小孔（通気孔）  ３０…角度センサ、  ４２…ファン（送風部）、  ４３…ダクト、  ５０…操作部
【図１】
2005190316.tif 000003
【図２】
2005190316.tif 000004
【図３】
2005190316.tif 000005
【図４】
2005190316.tif 000006
【図５】
2005190316.tif 000007
【図６】
2005190316.tif 000008
【図７】
2005190316.tif 000009
【図８】
2005190316.tif 000010
【図９】
2005190316.tif 000011
【図１０】
2005190316.tif 000012
【図１１】
2005190316.tif 000013
【図１２】
2005190316.tif 000014